(57)【要約】【課題】  効率良く暖房することのできる暖房装置を提供する。【解決手段】  ペルチェ素子２を用いた暖房装置１において、暖房装置１にはヒーター４が組み込まれているとともに、前記ペルチェ素子２の放熱部２ａの温度を検知する温度検知手段３と、前記ペルチェ素子２およびヒーター４を制御する制御手段が設けられ、該制御手段は、前記温度検知手段３によって検知されたペルチェ素子の放熱部２ａの温度に基づいて、前記ヒーター４の発熱量および／またはＯＮ，ＯＦＦ動作を制御するように構成されている。【選択図】  図１
2005291651.tif 000002
【特許請求の範囲】
【請求項１】
ペルチェ素子を用いた暖房装置において、該暖房装置にはヒーターが組み込まれているとともに、前記ペルチェ素子の放熱部の温度を検知する温度検知手段と、前記ペルチェ素子およびヒーターを制御する制御手段が設けられ、該制御手段は、前記温度検知手段によって検知されたペルチェ素子の放熱部の温度に基づいて、前記ヒーターの発熱量および／またはＯＮ，ＯＦＦ動作を制御するように構成したことを特徴とする暖房装置。
【請求項２】
前記温度検知手段によって検知されたペルチェ素子の放熱部の温度が所定値以上である場合は、前記制御手段を介し前記ヒーターをＯＦＦするように構成したことを特徴とする請求項１に記載の暖房装置。
【請求項３】
前記ヒーターは、前記ペルチェ素子の放熱部より下流側に配置されていることを特徴とする請求項１または請求項２に記載の暖房装置。
【請求項４】
前記ヒーターへ送られる空気の通る風路は、前記ペルチェ素子の放熱部を通過する第１風路と、ペルチェ素子の放熱部を経由しない別の第２風路とに切替可能に構成され、前記温度検知手段によって検知されたペルチェ素子の放熱部の温度が所定値以下の場合は、前記第２風路に切り替えられ、温度が所定値以上の場合は、前記第１風路に切り替えられるように構成したことを特徴とする請求項３に記載の暖房装置。
【発明の詳細な説明】
【技術分野】
【０００１】
本発明は、トイレ内等で用いられる暖房装置に関するものである。
【背景技術】
【０００２】
従来、便器に組み込まれた暖房装置として、例えば特許文献１に開示されているような構成のものがある。
【特許文献１】特開平８−１１２２２０号公報
【発明の開示】
【発明が解決しようとする課題】
【０００３】
従来では、暖房装置は、ペルチェ素子を使用し、またヒーターを設けているが、より効率的に暖房できる暖房装置の出現が望まれていた。
【課題を解決するための手段】
【０００４】
本発明は上記従来の問題点に鑑み案出したものであって、効率良く暖房できる暖房装置を提供せんとするものであり、その請求項１は、ペルチェ素子を用いた暖房装置において、該暖房装置にはヒーターが組み込まれているとともに、前記ペルチェ素子の放熱部の温度を検知する温度検知手段と、前記ペルチェ素子およびヒーターを制御する制御手段が設けられ、該制御手段は、前記温度検知手段によって検知されたペルチェ素子の放熱部の温度に基づいて、前記ヒーターの発熱量および／またはＯＮ，ＯＦＦ動作を制御するように構成したことである。
【０００５】
また請求項２は、前記温度検知手段によって検知されたペルチェ素子の放熱部の温度が所定値以上である場合は、前記制御手段を介し前記ヒーターをＯＦＦするように構成したことである。
【０００６】
また請求項３は、前記ヒーターは、前記ペルチェ素子の放熱部より下流側に配置されていることである。
【０００７】
また請求項４は、前記ヒーターへ送られる空気の通る風路は、前記ペルチェ素子の放熱部を通過する第１風路と、ペルチェ素子の放熱部を経由しない別の第２風路とに切替可能に構成され、前記温度検知手段によって検知されたペルチェ素子の放熱部の温度が所定値以下の場合は、前記第２風路に切り替えられ、温度が所定値以上の場合は、前記第１風路に切り替えられるように構成したことである。
【発明の効果】
【０００８】
本発明の暖房装置は、ペルチェ素子の放熱部の温度に基づいて、ヒーターの発熱量および／またはＯＮ，ＯＦＦ動作を制御するように構成したことにより、効率的に暖房装置を制御できて、良好な暖房能力を維持できるものとなる。
【０００９】
また、温度検知手段によって検知されたペルチェ素子の放熱部の温度が所定値以上である場合は、制御手段を介しヒーターをＯＦＦするように構成したことにより、暖房装置の作動開始直後においては、ペルチェ素子は立上りが遅いが、ヒーターで暖房を補助でき、ペルチェ素子の放熱部の温度が上がり、安定した状態に達したらヒーターをＯＦＦして、ペルチェ素子の放熱部だけの暖房に切り替えて、効率良く暖房することができるものとなる。
【００１０】
また、ヒーターは、ペルチェ素子の放熱部より下流側に配置されていることにより、ヒーターで温められた空気がペルチェ素子側で吸熱されることがないため、特に暖房装置の作動開始直後において、効率良く暖房できるものとなる。
【００１１】
また、ヒーターへ送られる空気の通る風路は、ペルチェ素子の放熱部を通過する第１風路と、ペルチェ素子の放熱部を経由しない別の第２風路とに切替可能に構成され、温度検知手段によって検知されたペルチェ素子の放熱部の温度が所定値以下の場合は、第２風路に切り替えられ、温度が所定値以上の場合は、第１風路に切り替えられるように構成したことにより、ペルチェ素子の放熱部の温度が所定温度以下である暖房装置の作動開始直後等においては、第２風路に切り替えられて、ペルチェ素子を経由することなく、ヒーターで空気を温めて吹出すことができ、またペルチェ素子の放熱部が温まった状態では、第１風路に切り替えて、空気をペルチェ素子の放熱部で温めて効率良く暖房することができるものとなる。
【実施例】
【００１２】
以下、本発明の実施例を図面に基づいて説明する。
図１は、暖房装置の概略構成図であり、この暖房装置は、例えばトイレ内に設置される便器等に組み込んで、トイレ内を暖房できるものである。
図１の暖房装置１は、ペルチェ素子２を使用しており、ペルチェ素子２に通電することにより、このペルチェ素子２の放熱部（放熱フィン）２ａが温められるように構成されており、この放熱部２ａは空気の送られる風路Ｒ内に設けられており、この放熱部２ａの下流側の風路Ｒの先端の吹出側には、ヒーター４が設けられている。
【００１３】
また、放熱部２ａには、サーミスタで構成される温度検知手段３が設けられている。この温度検知手段３は、図示しない制御装置に接続されており、検知した温度信号を制御装置に出力できるものである。
また、制御装置は、温度検知手段３からの温度検知信号に基づいて、ペルチェ素子２及びヒーター４への通電を制御できるように構成されている。
【００１４】
例えば図２に示すように、暖房装置の電源がＯＮされるとペルチェ素子２へ通電が開始され、ペルチェ素子２の放熱部（放熱フィン）２ａが所定温度以下である場合には、ヒーターをＯＮさせ、ヒーター４へ通電する制御が行われ、ペルチェ素子２の放熱部（放熱フィン）２ａが所定温度以上であれば、ヒーターへの通電をＯＦＦするように制御される。
即ち、暖房装置の作動開始直後においては、ペルチェ素子２へ通電が開始されるが、ペルチェ素子２の放熱部２ａが温まるのに時間がかかるため、下流側にあるヒーター４をＯＮして、このヒーター４で空気を温めて、吹出口から吹き出すことができ、ヒーター４で暖房装置の運転初期段階から温風を吹き出して、暖房能力の不足を補うことができるものとなる。
【００１５】
また、時間の経過とともに、ペルチェ素子２の放熱部２ａは温まって、風路Ｒ内を通る空気は放熱部２ａで温められて温風となり吹き出されるため、放熱部２ａが所定温度以上になった時には、ヒーター４をＯＦＦして、ペルチェ素子２の放熱部２ａのみで空気を温めて効率良く温風を吹き出すことができるものである。
【００１６】
なお、図２ではヒーターをＯＮ，ＯＦＦ制御する場合を例示しているが、温度検知手段３によって検知されたペルチェ素子２の放熱部２ａの温度に基づいて、ヒーター４の発熱量を制御装置で制御するように構成しても良い。
即ち、暖房装置１の運転開始初期に放熱部２ａが温まっていない段階では、ヒーター４の発熱量を大に制御し、放熱部２ａが温まった状態では、ヒーター４の発熱量を低く制御して、効率良く暖房することができるものとなる。
【００１７】
なお、ヒーター４は、ペルチェ素子２の放熱部２ａの下流側に配置されているため、暖房装置の作動開始直後において、ヒーター４で温められた空気がペルチェ素子の放熱部２ａで吸熱されることなく、効率良く温風として吹き出させることができるものとなる。
【００１８】
次に図３は、変更例を示すものであり、図３では、空気が送られる風路を、第１風路Ｒａと、別の第２風路Ｒｂで構成したものであり、第１風路Ｒａと第２風路Ｒｂを切り替えできるように、ダンパー等で構成される風路切替装置５を設けたものである。
即ち、図３では、第１風路Ｒａ内にペルチェ素子２の放熱部２ａが設けられており、その下流側に、風路切替装置５が軸５ａを中心として開閉可能に設けられ、この部分に第２風路Ｒｂが接続されたものとなっており、その下流側にヒーター４が配置されたものである。
【００１９】
図３の状態は、第１風路Ｒａが閉じられて、第２風路Ｒｂが開かれた状態である。
この図３の状態は、暖房装置の作動開始直後の状態であり、作動開始直後においては、ペルチェ素子２の放熱部２ａがまだ温まっておらず、温度検知手段３で検知される放熱部２ａの温度は所定温度以下であり、第１風路Ｒａを閉ざして第２風路Ｒｂを開け、第２風路Ｒｂを通して空気をヒーター４側へ送って、ヒーター４で空気を温めて吹き出させるものであり、暖房装置の作動開始直後においては、第２風路Ｒｂを通して空気をヒーター４に送り、ヒーター４のみで空気を温め、温風にして吹き出させるものである。
【００２０】
次第にペルチェ素子２の放熱部２ａが温まった状態では、温度検知手段３が所定温度以上の温度を検知し、この状態で風路切替装置５を図４のように切り替えて、第２風路Ｒｂを閉ざし、第１風路Ｒａを開けることにより、空気は第１風路Ｒａを通りペルチェ素子２の放熱部２ａで温められて、ヒーター４側から温風として吹き出されるものであり、この場合、ヒーター４はＯＦＦするか又は発熱量を低くして、主としてペルチェ素子２の放熱部２ａで空気を温めて、効率良く暖房運転することができるものである。
【図面の簡単な説明】
【００２１】
【図１】暖房装置の概略構成図である。
【図２】図１の暖房装置の制御の一例を示す制御パターン図である。
【図３】別例の暖房装置の概略構成図である。
【図４】図３の状態から風路を切り替えた状態の概略構成図である。
【符号の説明】
【００２２】
１  暖房装置
２  ペルチェ素子
２ａ  放熱部（放熱フィン）
３  温度検知手段
４  ヒーター
５  風路切替装置
Ｒ  風路
Ｒａ  第１風路
Ｒｂ  第２風路
【図１】
2005291651.tif 000003
【図２】
2005291651.tif 000004
【図３】
2005291651.tif 000005
【図４】
2005291651.tif 000006